(57)【特許請求の範囲】
【請求項１】
波長の異なる複数の光信号が多重された光信号から各々の前記光信号を抽出する抽出部と、
前記抽出部により抽出された各々の前記光信号の波長を検出する検出部と、
前記検出部により検出された各々の前記光信号の波長を記憶する記憶部と、
前記検出部により検出された各々の前記光信号の波長及び前記記憶部に記憶された各々の前記光信号の波長に基づいて各々の前記光信号の波長の変化の傾向を求める制御部と、
を備え、
前記制御部は、前記検出部により検出された各々の前記光信号の波長のうち、二つ以上の波長で変化の傾向が同じであるときに、前記抽出部及び前記検出部の一方または両方に起因して前記検出部による波長の検出結果が変化したと判断し、
前記抽出部および前記検出部の少なくとも一方が、位置および光軸の少なくとも一方のずれによって、前記検出部による波長の検出結果のずれを生じさせる光学部品を含むことを特徴とする光伝送装置。
【請求項２】
前記制御部は、前記検出部により検出された各々の前記光信号の波長のうち、二つ以上の波長で変化の傾向が同じであり、かつ該変化の傾向が同じ前記二つ以上の波長での変化の傾向と異なる傾向で変化している波長が一つ以上ある場合に、前記抽出部及び前記検出部の一方または両方に起因して波長が変化しているとともに、多重される前の一つ以上の前記光信号で波長が変化したと判断することを特徴とする請求項１に記載の光伝送装置。
【請求項３】
前記検出部により検出された各々の前記光信号の波長及び前記記憶部に記憶された各々の前記光信号の波長に基づいて、前記抽出部及び前記検出部の一方または両方に起因して変化した波長の変化量を求め、該変化量に基づいて、前記検出部により検出された各々の前記光信号の波長の値を補正する処理部を備えることを特徴とする請求項１または２に記載の光伝送装置。
【請求項４】
前記検出部により検出された各々の前記光信号の波長及び前記記憶部に記憶された各々の前記光信号の波長に基づいて、前記抽出部及び前記検出部の一方または両方に起因して変化した波長の変化量を求め、該変化量に基づいて、多重される前の前記光信号で波長が変化したときに発出されるアラームの閾値を補正する処理部を備えることを特徴とする請求項１または２に記載の光伝送装置。
【請求項５】
前記記憶部は、前記抽出部及び前記検出部の一方または両方を制御するパラメータと波長の変化量との関係を記憶し、
前記検出部により検出された各々の前記光信号の波長及び前記記憶部に記憶された各々の前記光信号の波長に基づいて、前記抽出部及び前記検出部の一方または両方に起因して変化した波長の変化量を求め、該変化量及び前記パラメータと波長の変化量との関係に基づいて、前記パラメータを補正する処理部を備えることを特徴とする請求項１または２に記載の光伝送装置。
【請求項６】
波長の異なる複数の光信号が多重された光信号から各々の前記光信号を第１の抽出部により抽出し、抽出された各々の前記光信号の波長を第１の検出部により検出する第１の光伝送装置と、
波長の異なる複数の光信号が多重された前記光信号から各々の前記光信号を第２の抽出部により抽出し、抽出された各々の前記光信号の波長を第２の検出部により検出する第２の光伝送装置と、
前記第１の光伝送装置で検出された各々の前記光信号の波長に基づいて前記第１の光伝送装置における各々の前記光信号の経時的な波長の変化の傾向を求めるとともに、前記第２の光伝送装置で検出された各々の前記光信号の波長に基づいて前記第２の光伝送装置における各々の前記光信号の経時的な波長の変化の傾向を求める制御部と、
を備え、
前記制御部は、前記第１の光伝送装置で検出された各々の前記光信号の波長のうち、二つ以上の波長で変化の傾向が同じであるときに前記第１の抽出部及び前記第１の検出部の一方または両方に起因して前記第１の検出部による波長の検出結果が変化したと判断し、前記第２の光伝送装置で検出された各々の前記光信号の波長のうち、二つ以上の波長で変化の傾向が同じであるときに前記第２の抽出部及び前記第２の検出部の一方または両方に起因して前記第２の検出部による波長の検出結果が変化したと判断し、
前記第１の抽出部および前記第１の検出部の少なくとも一方が、位置および光軸の少なくとも一方のずれによって、前記第１の検出部による波長の検出結果のずれを生じさせる光学部品を含み、
前記第２の抽出部および前記第２の検出部の少なくとも一方が、位置および光軸の少なくとも一方のずれによって、前記第２の検出部による波長の検出結果のずれを生じさせる光学部品を含むことを特徴とする光伝送システム。
【請求項７】
前記第１の光伝送装置を有する第１のノードと前記第２の光伝送装置及び前記制御部を有する第２のノードとが光ファイバで接続されており、
前記第１の光伝送装置で検出された各々の前記光信号の波長の情報を、前記第１のノードから前記第２のノードへ送信される制御信号に含めて前記光ファイバを介して前記第２のノードへ伝達することを特徴とする請求項６に記載の光伝送システム。
【請求項８】
波長の異なる複数の光信号が多重された光信号から各々の前記光信号を抽出する抽出部により各々の前記光信号を抽出し、
前記抽出部により抽出された各々の前記光信号の波長を検出する検出部により各々の前記光信号の波長を検出し、
前記検出部により検出された各々の前記光信号の波長を記憶し、
前記検出部により検出された各々の前記光信号の波長及び記憶された過去の各々の前記光信号の波長に基づいて各々の前記光信号の波長の変化の傾向を求め、二つ以上の波長で変化の傾向が同じであるときに、前記抽出部及び前記検出部の一方または両方に起因して前記検出部による波長の検出結果が変化したと判断し、
前記抽出部および前記検出部の少なくとも一方が、位置および光軸の少なくとも一方のずれによって、前記検出部による波長の検出結果のずれを生じさせる光学部品を含むことを特徴とする光伝送方法。
【請求項９】
前記検出部により検出された各々の前記光信号の波長のうち、二つ以上の波長で変化の傾向が同じであり、かつ該変化の傾向が同じ前記二つ以上の波長での変化の傾向と異なる傾向で変化している波長が一つ以上ある場合に、前記抽出部及び前記検出部の一方または両方に起因して波長が変化しているとともに、多重される前の一つ以上の前記光信号で波長が変化したと判断することを特徴とする請求項８に記載の光伝送方法。
【発明の詳細な説明】
【技術分野】
【０００１】
本件は、光伝送装置、光伝送システム及び光伝送方法に関する。
【背景技術】
【０００２】
光通信分野において、波長分割多重（ＷＤＭ：Ｗａｖｅｌｅｎｇｔｈ  Ｄｉｖｉｓｉｏｎ  Ｍｕｌｔｉｐｌｅｘｉｎｇ）技術がある。従来、波長分割多重システムでは、光チャンネルモニタ（ＯＣＭ：Ｏｐｔｉｃａｌ  Ｃｈａｎｎｅｌ  Ｍｏｎｉｔｏｒ）が用いられることがある。光チャンネルモニタは、波長多重された信号の各チャンネルの信号に対して波長や光パワーを監視するのに用いられている。例えば波長選択スイッチ（ＷＳＳ：Ｗａｖｅｌｅｎｇｔｈ  Ｓｅｌｅｃｔａｂｌｅ  Ｓｗｉｔｃｈ）などの波長制御デバイスは、光チャンネルモニタの監視情報に基づいてチャンネルごとの制御を行うことがある。また、波長がずれた場合のアラームの生成にも、光チャンネルモニタの監視情報が用いられることがある。従って、光チャンネルモニタには高い監視精度が要求される。波長の監視には例えば±０．０５ｎｍ以下の精度が要求されることがある。また、光チャンネルモニタが±０．１ｎｍ程度の波長のずれを検出するとアラームを生成して発出するシステムがある。
【０００３】
従来、波長多重部の出力部にアレイ導波路回折格子（ＡＷＧ：Ａｒｒａｙｅｄ  Ｗａｖｅｇｕｉｄｅ  Ｇｒａｔｉｎｇ）や光フィルタなどを用いて、波長を識別できるモニタを備え、波長ずれなどの不具合を監視し、アラームを発出して、異常な光送信器の出力光を遮断する波長多重光送信器がある。また、波長多重光を増幅する増幅媒体の入力光パワー及び出力光パワーを測定し、伝送路の種類ごとの波長特性を示すデータベースのデータに基づいて、伝送路に接続された可変利得イコライザの通過波長特性を設定する波長多重光伝送システムがある。
【先行技術文献】
【特許文献】
【０００４】
【特許文献１】特開２００６−７４０９８号公報
【特許文献２】特開２００４−１５８６５２号公報
【発明の概要】
【発明が解決しようとする課題】
【０００５】
光チャンネルモニタの内部には複数の光学部品が搭載されているため、時間の経過とともにそれら光学部品の取り付け位置がずれ、それが原因で光チャンネルモニタの内部で光軸がずれることがある。光学部品の取り付け位置にずれが生じる原因の一つとして、温度変化や応力の作用などの外的要因により光学部品に歪みが生じることが挙げられる。また、接着剤やネジ等で光学部品を固定したことにより光学部品に応力が生じることが挙げられる。また、異種材料同士の接続箇所での熱膨張係数差により応力が生じることが挙げられる。また、材料を加工したときに光学部品にストレスが残留したことが挙げられる。光学部品の位置や光軸がずれると、光チャンネルモニタが監視している光信号の波長が本来の波長からそのずれ分に応じた分だけずれてしまう。
【０００６】
しかしながら、従来の光チャンネルモニタでは、波長のずれを検出した原因が、光学部品の位置や光軸のずれにあるのか、光チャンネルモニタへ入力する光の波長が実際にずれたことにあるのか、を区別することができない。そのため、光チャンネルモニタが波長のずれを検出したときに、実際には監視している光信号の波長がずれていないのに、アラームを発出してしまうことがある、という問題点がある。
【０００７】
光信号の波長がずれたことを検出することができる光伝送装置、光伝送システム及び光伝送方法を提供することを目的とする。
【課題を解決するための手段】
【０００８】
光伝送装置は、抽出部、検出部、記憶部及び制御部を備えている。抽出部は、波長の異なる複数の光信号が多重された光信号から各々の光信号を抽出する。検出部は、抽出部により抽出された各々の光信号の波長を検出する。記憶部は、検出部により検出された各々の光信号の波長を記憶する。制御部は、検出部により検出された各々の光信号の波長及び記憶部に記憶された各々の光信号の波長に基づいて各々の光信号の波長の変化の傾向を求める。制御部は、検出部により検出された各々の光信号の波長のうち、二つ以上の波長で変化の傾向が同じであるときに、抽出部及び検出部の一方または両方に起因して波長が変化したと判断する。
【発明の効果】
【０００９】
この光伝送装置、光伝送システム及び光伝送方法によれば、光信号の波長がずれたことを検出することができるという効果を奏する。
【図面の簡単な説明】
【００１０】
【図１】実施例１にかかる光伝送装置を示すブロック図である。
【図２】実施例１にかかる光伝送方法を示すフローチャートである。
【図３】実施例２にかかる光伝送装置を示すブロック図である。
【図４】波長の変化量の時間的な変化の一例を示す特性図である。
【図５】波長の変化量の時間的な変化の一例を示す特性図である。
【図６】波長の変化量の時間的な変化の一例を示す特性図である。
【図７】波長の変化量の時間的な変化の一例を示す特性図である。
【図８】波長モニタ値の格納タイミングを示す図である。
【図９】実施例２にかかる光伝送装置における補正データのテーブルの一例を示す図表である。
【図１０】実施例２にかかる光伝送装置におけるアラーム発出に対する閾値の補正を説明する図である。
【図１１】実施例２にかかる光伝送方法を示すフローチャートである。
【図１２】実施例２にかかる光伝送装置の別の例を示すブロック図である。
【図１３】実施例３にかかる光伝送装置を示すブロック図である。
【図１４】実施例３にかかる光伝送装置における補正データのテーブルの一例を示す図表である。
【図１５】実施例４にかかる光伝送装置を示すブロック図である。
【図１６】実施例４にかかる光伝送装置における補正データのテーブルの一例を示す図表である。
【図１７】実施例５にかかる光伝送システムを示すブロック図である。
【図１８】実施例６にかかる光伝送システムを示すブロック図である。
【図１９】実施例７にかかる光伝送システムを示すブロック図である。
【図２０】実施例８にかかる光伝送システムを示すブロック図である。
【発明を実施するための形態】
【００１１】
以下に添付図面を参照して、この光伝送装置、光伝送システム及び光伝送方法の好適な実施の形態を詳細に説明する。実施の形態は、波長の異なる複数の光信号が多重された光信号に含まれる各々の光信号の、現在及び過去の波長に基づいて各々の光信号の波長の変化の傾向を求め、その波長の変化の傾向に基づいて、光伝送装置自体及び光信号の送信側の装置のいずれに原因があって波長が変化したのか、を判断するものである。以下の各実施例の説明においては、同様の構成要素には同一の符号を付して、重複する説明を省略する。
【００１２】
（実施例１）
・光伝送装置の説明
図１は、実施例１にかかる光伝送装置を示すブロック図である。図１に示すように、光伝送装置１は、抽出部２、検出部３、記憶部４及び制御部５を備えている。抽出部２は、波長の異なる複数の光信号が多重された光信号から各々の光信号を抽出する。検出部３は、抽出部２により抽出された各々の光信号の波長を検出する。記憶部４は、検出部３により検出された各々の光信号の波長を記憶する。制御部５は、検出部３により検出された各々の光信号の波長及び記憶部４に記憶された各々の光信号の波長に基づいて各々の光信号の波長の変化の傾向を求める。制御部５は、検出部３により検出された各々の光信号の波長のうち、二つ以上の波長で変化の傾向が同じであると判断したときに、抽出部２及び検出部３の一方または両方に起因して波長が変化したと判断する。
【００１３】
抽出部２の入力ポートには光ファイバや光導波路などの光伝送路６が接続されている。検出部３と記憶部４とは、配線７により接続されている。検出部３と制御部５とは、配線８により接続されている。記憶部４と制御部５とは、配線９により接続されている。
【００１４】
・光伝送方法の説明
図２は、実施例１にかかる光伝送方法を示すフローチャートである。図２に示すように、まず、光伝送装置１において、抽出部２は、光伝送路６から抽出部２に入力した、波長の異なる複数の光信号が多重された光信号から各々の光信号を抽出する（ステップＳ１）。次いで、検出部３は、抽出部２により抽出された各々の光信号の波長を検出する（ステップＳ２）。検出部３により検出された各々の光信号の波長は記憶部４に記憶される（ステップＳ３）。次いで、制御部５は、検出部３により検出された各々の光信号の波長及び記憶部４に記憶された過去の各々の光信号の波長に基づいて、各々の光信号の波長の変化の傾向を求める。傾向とは波長シフト量の単位時間当たりの変化を示す割合である。制御部５は、二つ以上の波長で変化の傾向がほぼ同じであるときに、抽出部２及び検出部３の一方または両方に起因して波長が変化したと判断する。すなわち、制御部５は、光伝送装置１自体に問題が生じて波長の変化が起こったと判断する（ステップＳ４）。
【００１５】
実施例１によれば、光伝送装置１は、二つ以上の波長で変化の傾向が同じであるときに、波長の変化が起こった原因が光伝送装置１自体にあると判断する。従って、波長の変化が起こったときに光伝送装置１が自身に問題がないと判断した場合には、光伝送装置１は、光信号を送信する側の装置に原因があるということを検出することができる。つまり、光伝送装置１は、光信号を送信する側の装置が原因で光信号の波長がずれたことを検出することができる。
【００１６】
（実施例２）
実施例２は、光伝送装置を光チャンネルモニタに適用した例である。
【００１７】
・光伝送装置の説明
図３は、実施例２にかかる光伝送装置を示すブロック図である。図３に示すように、光チャンネルモニタ１１は、光ファイバ１２、レンズ１３，１４、抽出部として例えば分光デバイス１５、及び検出部として例えば受光素子１６を備えている。波長の異なる複数の光信号が多重された光信号は、光伝送路１７によって伝送される。光伝送路１７によって伝送される光信号の一部は、カプラ１８で分岐され、光伝送路１９を介して光ファイバ１２に入力する。光ファイバ１２から出射した光信号は、光ファイバ１２とともにコリメータを構成するレンズ１３を通り、分光デバイス１５で各波長成分に分光され、レンズ１４を通って受光素子１６で波長成分ごとに受光される。
【００１８】
分光デバイス１５の一例として、例えばグレーティングやアレイ導波路回折格子などが挙げられる。受光素子１６の一例として、ＰＤ（ＰｈｏｔｏＤｉｏｄｅ、フォトダイオード）アレイ、リニアセンサまたはラインセンサなどが挙げられる。受光素子１６では、受光素子１６上のある位置Ｘ１に入射する光の波長はλ１であり、別の位置Ｘ２に入射する光の波長はλ２であるというように、受光素子１６上の位置と波長との関係が予め対応付けられている。受光素子１６は、受光素子１６上の各位置での受光した光のパワーを電気信号に変換してモニタパワーとして出力する。
【００１９】
光チャンネルモニタ１１は、コントロール回路２１、ＤＳＰ（Ｄｉｇｉｔａｌ  Ｓｉｇｎａｌ  Ｐｒｏｃｅｓｓｏｒ、デジタルシグナルプロセッサ）などのプロセッサ２２及びＲＡＭ（Ｒａｎｄｏｍ  Ａｃｃｅｓｓ  Ｍｅｍｏｒｙ、ランダムアクセスメモリ）２３を備えている。コントロール回路２１は受光素子１６を制御する。例えばコントロール回路２１は受光素子１６のフォトダイオードに逆バイアスを印加する。プロセッサ２２は、コントロール回路２１を介して受光素子１６のモニタパワーを受け取る。プロセッサ２２はモニタパワーに基づいてチャンネルごとにスペクトラム形状を推定し、チャンネルごとに全入力パワー及び波長モニタ値として中心波長を演算する。ＲＡＭ２３は、プロセッサ２２の演算結果を格納し、例えば図示しないホストへ演算結果を出力する。
【００２０】
光チャンネルモニタ１１は、制御部及び処理部として例えば監視制御／信号処理部２４、及び記憶部として例えばメモリ２５を備えている。監視制御／信号処理部２４は、プロセッサ２２から受け取った現在の波長モニタ値と、メモリ２５に格納されている過去の波長モニタ値とに基づいて、チャンネルごとに波長の変化量を求め、波長が短くなる方向に変化しているのか長くなる方向に変化しているのかを求める。監視制御／信号処理部２４は、チャンネル間で波長の変化量及び波長の変化の方向を比較する。
【００２１】
監視制御／信号処理部２４は、二つ以上のチャンネルで波長の変化量及び波長の変化の方向がほぼ同じである場合（図４参照）、波長の変化が起こった原因が光チャンネルモニタ１１にあると判断する。図４は、波長の変化量（波長シフト量）の時間的な変化の一例を示す特性図である。図４に示す例では、λ１〜λ５の全波長について、波長の変化の傾向がほぼ同じになっている。従って、このような場合には、波長の変化が起こった原因が光チャンネルモニタ１１にあることになる。
【００２２】
光チャンネルモニタ１１が原因で波長の変化が起こる例として、次のような場合がある。例えば、光ファイバ１２、レンズ１３，１４、分光デバイス１５及び受光素子１６などの光学部品の取り付け位置や角度が、熱膨張係数差の影響や内部ストレスの緩和などによってずれることがある。これら光学部品の位置や角度がずれると、光ファイバ１２からの光の出射角度や、分光デバイス１５への光の入射角度及び分光デバイス１５からの各波長成分の光の出射角度がずれ、最終的に受光素子１６に対する各波長成分の光信号の入射位置が、予め設定されている位置からずれてしまう。そのため、受光素子１６に入射する光信号の各波長が変化していなくても、プロセッサ２２で求められた波長モニタ値にずれが生じることになる。
【００２３】
監視制御／信号処理部２４は、あるチャンネルの波長の変化量や波長の変化の方向が他のチャンネルのそれらと異なる場合（図５参照）、当該チャンネルで波長の変化が起こった原因は、そのチャンネルの送信側の装置にあると判断する。図５は、波長の変化量（波長シフト量）の時間的な変化の一例を示す特性図である。図５に示す例では、λ１の波長が変化しており、残りのλ２〜λ５の波長は殆ど変化していない。従って、このような場合には、λ１のチャンネルの送信側の装置に、波長がずれるような原因があることになる。
【００２４】
あるチャンネルの波長の変化量や波長の変化の方向が他のチャンネルのそれらと異なる別の例として、図６や図７に示すように、あるチャンネルを除いて残りのチャンネルの波長が同じような傾向で変化している場合がある。図６及び図７は、波長の変化量（波長シフト量）の時間的な変化の一例を示す特性図である。図６や図７に示す例では、λ５のチャンネルを除いて残りのλ１〜λ４の波長が同じような傾向で変化している。これは、光チャンネルモニタ１１が原因で全波長について変化が生じている状態と、λ５のチャンネルの送信側の装置が原因でλ５の波長が変化している状態とが同時に起こっている状態である。
【００２５】
図６に示す例では、光チャンネルモニタ１１によるλ５の波長の変化の方向と、λ５の送信側の装置によるλ５の波長の変化の方向とが逆方向なので、相殺されている。図７に示す例では、光チャンネルモニタ１１によるλ５の波長の変化の方向と、λ５の送信側の装置によるλ５の波長の変化の方向とが同じ方向なので、加算されている。このような場合、監視制御／信号処理部２４は、波長の変化の原因が光チャンネルモニタ１１とλ５のチャンネルの送信側の装置との両方にあると判断することができる。
【００２６】
また、監視制御／信号処理部２４は、波長の変化が起こった原因が光チャンネルモニタ１１にあると判断した場合、波長の変化量に基づいて各チャンネルの波長モニタ値を補正する。波長モニタ値の補正については後述する。あるいは、波長モニタ値を補正する代わりに、監視制御／信号処理部２４は、波長の変化量に基づいて、送信側の装置が原因で波長が変化したときのアラームの発出に対する閾値を補正してもよい。アラーム発出に対する閾値の補正については後述する。
【００２７】
メモリ２５は監視制御／信号処理部２４を介して各チャンネルの波長モニタ値を受け取り、定期的にチャンネルごとに波長モニタ値を格納する。メモリ２５は不揮発性のメモリであり、例えばフラッシュメモリであってもよい。光チャンネルモニタ１１において、各チャンネルの波長モニタ値の監視動作は数百ｍｓｅｃ〜数ｓｅｃ間隔で行われてもよい。図８に示すように、各チャンネルの波長モニタ値をメモリ２５に格納する間隔ｔは数時間程度であってもよい。図８は、波長モニタ値の格納タイミングを示す図である。図８において、●は波長モニタ値の格納タイミングを表している。
【００２８】
監視制御／信号処理部２４は、メモリ２５に波長モニタ値が格納されるたびに、波長の変化の原因が光チャンネルモニタ１１にあるか否かという判断を行ってもよい。すなわち、監視制御／信号処理部２４は、数時間程度に１回の割合で、波長の変化の原因が光チャンネルモニタ１１にあるか否かという判断を行ってもよい。これは、光チャンネルモニタ１１が原因である場合の波長の変化が、短時間では起こらないからである。
【００２９】
・波長モニタ値の補正
図９は、波長モニタ値に対する補正データのテーブルの一例を示す図表である。この補正データのテーブル３１は例えばメモリ２５に格納されていてもよい。監視制御／信号処理部２４は、メモリ２５に格納された過去の波長モニタ値の変化傾向に基づいて、光チャンネルモニタ１１が原因で波長モニタ値が変動した量（オフセット量、波長ズレ量）を求めてもよい。例えば、監視制御／信号処理部２４は、過去数回の波長モニタ値の平均から大きく差が出たところを変化の分岐点とし、過去の波長モニタ値の平均値が安定している点と現在の波長モニタ値との差からオフセット量を求めてもよい。
【００３０】
監視制御／信号処理部２４は、プロセッサ２２で求められた波長モニタ値に対してオフセット量に応じた分の電圧を一律減算または加算することによって、波長モニタ値を修正してもよい。例えば図９に示すテーブル３１の例では、オフセット量が＋０．２０ｎｍである場合、プロセッサ２２で求められた波長モニタ値は本来の値よりも２００ｍＶ高くなる。従って、監視制御／信号処理部２４は、プロセッサ２２で求められた波長モニタ値から一律２００ｍＶを減算してもよい。
【００３１】
・アラーム発出に対する閾値の補正
図１０は、アラーム発出に対する閾値の補正を説明する図である。図１０において、−λ及び＋λは、それぞれ波長の変化量がマイナス方向（短波長方向）及びプラス方向（長波長方向）に変化した場合のアラームの発出に対する閾値である。光チャンネルモニタ１１では、波長モニタ値が−λまたは＋λの閾値を超えると、アラームが発出される。図１０に示すように、光チャンネルモニタ１１が原因で波長モニタ値が変動し、その変動量（オフセット量）がΔλである場合、監視制御／信号処理部２４は、アラーム発出に対する閾値を−λから−λ＋Δλに補正し、＋λから＋λ＋Δλに補正してもよい。
【００３２】
例えば、監視制御／信号処理部２４は、元のアラーム発出に対する閾値が±０．１ｎｍであるときに、光チャンネルモニタ１１が原因で波長モニタ値が＋０．０５ｎｍずれた場合、オフセット量を＋０．０５ｎｍとしてもよい。それによって、監視制御／信号処理部２４は、新たなアラーム発出に対する閾値を−０．０５ｎｍ及び＋０．１５ｎｍとしてもよい。
【００３３】
・光伝送方法の説明
図１１は、実施例２にかかる光伝送方法を示すフローチャートである。図１１に示すように、まず、監視制御／信号処理部２４は、メモリ２５から過去の波長モニタ値ｙを読み込む（ステップＳ１１）。次いで、プロセッサ２２は、受光素子１６から各波長成分のモニタパワーを読み取り（ステップＳ１２）、各波長成分の現在の波長モニタ値ｘを演算して求める（ステップＳ１３）。その際の補正値ｄの初期値は０である。次いで、監視制御／信号処理部２４は、波長成分ごとに現在の波長モニタ値ｘから過去の波長モニタ値ｙを引いた値を計算する（ステップＳ１４）。次いで、監視制御／信号処理部２４は、全ての波長成分についてｘ−ｙの値が許容範囲内であるか否かを判定する（ステップＳ１５）。
【００３４】
全ての波長成分についてｘ−ｙの値が許容範囲内である場合（ステップＳ１５：Ｙｅｓ）、監視制御／信号処理部２４はプロセッサ２２へ各波長成分の現在の波長モニタ値ｘを出力する（ステップＳ１８）。現在の波長モニタ値ｘは、ＲＡＭ２３を介して図示しないホストへ出力される。また、監視制御／信号処理部２４は、所定時間おきに各波長成分の現在の波長モニタ値ｘをメモリ２５に格納する（ステップＳ１９）。そして、ステップＳ１１に戻る。
【００３５】
一方、全ての波長成分についてｘ−ｙの値が許容範囲内でない場合（ステップＳ１５：Ｎｏ）、監視制御／信号処理部２４は、ｘ−ｙの値が許容範囲内でないチャンネルの数、すなわち波長がずれていると見なし得るチャンネルの数を調べ、その数に応じた処理を行う（ステップＳ１６）。全てのチャンネルで波長がずれていると見なせる場合（ステップＳ１６：全チャンネル）、ステップＳ１４に戻り、監視制御／信号処理部２４はステップＳ１４以降の処理を行う。全てのチャンネルで波長がずれていると見なすことができない場合（ステップＳ１６：全チャンネルでない）、監視制御／信号処理部２４は、送信側の装置が原因で波長が変化していると判断してアラームを発出する（ステップＳ１７）。そして、ステップＳ１８へ進み、監視制御／信号処理部２４はステップＳ１８以降の処理を行う。
【００３６】
なお、監視制御／信号処理部２４については、上述した動作を実現するプログラムをプロセッサで実行することにより実現してもよい。あるいは、ハードウェアで監視制御／信号処理部２４を実現してもよい。
【００３７】
なお、図１２に示すような構成としてもよい。図１２は、光伝送装置の別の例を示すブロック図である。図１２に示すように、光伝送装置４１は、光チャンネルモニタのモジュール４２、監視制御／信号処理部２４、メモリ２５及びホスト４３を備えている。光チャンネルモニタのモジュール４２は、図３に示す光チャンネルモニタ１１の構成において監視制御／信号処理部２４及びメモリ２５を含まない構成となっている。
【００３８】
実施例２によれば、実施例１と同様の効果が得られる。
【００３９】
（実施例３）
実施例３は、光伝送装置を別のタイプの光チャンネルモニタに適用した例である。
【００４０】
・光伝送装置の説明
図１３は、実施例３にかかる光伝送装置を示すブロック図である。図１３に示すように、実施例３の光チャンネルモニタ５１では、カプラ１８で分岐された光信号が、光伝送路１９によってコリメータ５２へ導かれる。コリメータ５２から出射した光信号は、グレーティングやアレイ導波路回折格子などの分光デバイス１５で各波長成分に分光される。各波長成分の光信号は、ＭＥＭＳ（Ｍｉｃｒｏ−Ｅｌｅｃｔｒｏ−Ｍｅｃｈａｎｉｃａｌ  Ｓｙｓｔｅｍｓ、メムス）ミラー５３で反射される。コントロール回路２１によってＭＥＭＳミラー５３の角度を連続的に変化させることによって、ＭＥＭＳミラー５３で反射された各波長成分の光信号がコリメータ５４を通ってフォトダイオード５５で連続的に受光される。プロセッサ２２は、時間ごとのモニタパワー、すなわち波長成分ごとのモニタパワーに基づいてチャンネルごとにスペクトラム形状を推定し、チャンネルごとに全入力パワー及び波長モニタ値として中心波長を演算する。その他の構成は実施例２と同様である。
【００４１】
ＭＥＭＳミラー５３の角度は、コントロール回路２１から出力される制御電圧値によって制御されている。この制御電圧値と、コリメータ５４を通ってフォトダイオード５５に入射する光信号の波長成分とが予め対応付けられている。従って、コントロール回路２１から出力される制御電圧値やＭＥＭＳミラー５３の角度が変化すると、フォトダイオード５５に入射する光信号の波長成分が、期待される波長成分と異なってしまう。そのため、フォトダイオード５５に入射する光信号の各波長が変化していなくても、プロセッサ２２で求められた波長モニタ値にずれが生じることになる。また、実施例２と同様に、コリメータ５２，５４や分光デバイス１５などの光学部品の取り付け位置や角度がずれた場合も、プロセッサ２２で求められた波長モニタ値にずれが生じることになる。
【００４２】
監視制御／信号処理部２４は、波長の変化が起こった原因が光チャンネルモニタ５１にあると判断した場合、実施例２と同様に波長モニタ値を補正してもよい。あるいは、波長モニタ値を補正する代わりに、監視制御／信号処理部２４は、ＭＥＭＳミラー５３の角度を制御する制御電圧値を補正するようにしてもよい。
【００４３】
・ＭＥＭＳミラーの角度の補正
図１４は、ＭＥＭＳミラーの角度を制御する制御電圧値に対する補正データのテーブルの一例を示す図表である。この補正データのテーブル３２は例えばメモリ２５に格納されていてもよい。監視制御／信号処理部２４は、ＭＥＭＳミラー５３の角度を制御する制御電圧値に対して、実施例２と同様にして求めたオフセット量（波長モニタ値の変動量）に応じた分の電圧を減算または加算してもよい。それによって、ＭＥＭＳミラー５３の制御状態が正しい状態に戻る。例えば図１４に示すテーブル３２の例では、ＭＥＭＳミラー５３の角度を制御する制御電圧値の変化量＋１００ｍＶがＭＥＭＳミラー５３の角度＋０．２度に相当し、＋０．１０ｎｍのオフセット量に相当している。従って、オフセット量が＋０．２０ｎｍである場合、監視制御／信号処理部２４は、ＭＥＭＳミラー５３の角度を制御する制御電圧値を現在の値から２００ｍＶ低い電圧値に補正してもよい。
【００４４】
実施例３によれば、実施例１と同様の効果が得られる。なお、実施例３においても図１２に示すような構成としてもよい。
【００４５】
（実施例４）
実施例４は、光伝送装置をさらに別のタイプの光チャンネルモニタに適用した例である。
【００４６】
・光伝送装置の説明
図１５は、実施例４にかかる光伝送装置を示すブロック図である。図１５に示すように、実施例４の光チャンネルモニタ６１では、カプラ１８で分岐された光信号が、光伝送路１９によってレンズ付きのファイバ６２へ導かれる。レンズ付きのファイバ６２から出射した光信号は、温度の制御によって透過波長が可変なチューナブルフィルタなどの分光デバイス６３で各波長成分に分光される。コントロール回路２１によって分光デバイス６３の温度を制御することによって、分光デバイス６３を透過した各波長成分の光信号がフォトダイオード５５で受光される。プロセッサ２２は、時間ごとのモニタパワー、すなわち波長成分ごとのモニタパワーに基づいてチャンネルごとにスペクトラム形状を推定し、チャンネルごとに全入力パワー及び波長モニタ値として中心波長を演算する。その他の構成は実施例２と同様である。
【００４７】
分光デバイス６３の透過波長は、分光デバイス６３の温度や分光デバイス６３への光信号の入射角度によって変化する。分光デバイス６３の透過波長は、予め分光デバイス６３の温度や回転角度と対応付けられている。従って、分光デバイス６３の温度や回転角度が変化すると、分光デバイス６３の透過波長が変化して、フォトダイオード５５に入射する光信号の波長成分が、期待される波長成分と異なってしまう。そのため、フォトダイオード５５に入射する光信号の各波長が変化していなくても、プロセッサ２２で求められた波長モニタ値にずれが生じることになる。また、実施例２と同様に、レンズ付きのファイバ６２などの光学部品の角度がずれた場合も、分光デバイス６３への光信号の入射角度が変化するため、プロセッサ２２で求められた波長モニタ値にずれが生じることになる。
【００４８】
監視制御／信号処理部２４は、波長の変化が起こった原因が光チャンネルモニタ６１にあると判断した場合、実施例２と同様に波長モニタ値を補正してもよい。あるいは、波長モニタ値を補正する代わりに、監視制御／信号処理部２４は、分光デバイス６３の温度を制御する制御電圧値を補正するようにしてもよい。
【００４９】
・分光デバイスの温度の補正
図１６は、分光デバイスの温度を制御する制御電圧値に対する補正データのテーブルの一例を示す図表である。この補正データのテーブル３３は例えばメモリ２５に格納されていてもよい。監視制御／信号処理部２４は、分光デバイス６３の温度を制御する制御電圧値に対して、実施例２と同様にして求めたオフセット量（波長モニタ値の変動量）に応じた分の電圧を減算または加算してもよい。それによって、分光デバイス６３の制御状態が正しい状態に戻る。例えば図１６に示すテーブル３３の例では、分光デバイス６３の温度を制御する制御電圧値の変化量＋１００ｍＶが分光デバイス６３の温度＋１．０℃に相当し、＋０．１０ｎｍのオフセット量に相当している。従って、オフセット量が＋０．２０ｎｍである場合、監視制御／信号処理部２４は、分光デバイス６３の温度を制御する制御電圧値を現在の値から２００ｍＶ低い電圧値に補正してもよい。
【００５０】
なお、ＭＥＭＳミラーの角度を制御するタイプや分光デバイスの温度を制御するタイプではない、別のタイプの光チャンネルモニタの場合も同様である。すなわち、光チャンネルモニタのタイプに応じて、光チャンネルモニタを構成する光学部品などの部品の角度や位置を制御したり、波長の選択を制御したりするパラメータを、オフセット量に応じた分だけ補正すればよい。その補正に用いられる補正データのテーブルは、実施例２や実施例３や実施例４と同様に例えばメモリ２５に格納されていてもよい。
【００５１】
実施例４によれば、実施例１と同様の効果が得られる。なお、実施例４においても図１２に示すような構成としてもよい。
【００５２】
（実施例５）
実施例５は、光チャンネルモニタを備えた光伝送システムの例である。
【００５３】
図１７は、実施例５にかかる光伝送システムを示すブロック図である。図１７に示すように、実施例５の光伝送システム７１は、光伝送路７２の途中にある波長選択スイッチ７３から出力された光信号の一部をカプラ７４で分岐させて光チャンネルモニタ７５に入力させ、光チャンネルモニタ７５で各波長の変動を監視するものである。光チャンネルモニタ７５は、例えば上述した実施例２、実施例３もしくは実施例４のタイプのものであってもよいし、それ以外のタイプのものであってもよい。監視制御部７６は、光チャンネルモニタ７５から出力された各波長の波長モニタ値に基づいて波長選択スイッチ７３のアッテネータを制御する。
【００５４】
光チャンネルモニタ７５が、光チャンネルモニタ７５に入力する光信号のあるチャンネルで波長がずれていることを検出した場合、監視制御部７６は、波長選択スイッチ７３の、その波長がずれているチャンネルに対してアッテネータをオフにする。一方、光チャンネルモニタ７５が、波長がずれた原因が光チャンネルモニタ７５にあることを検出した場合、実施例２、実施例３または実施例４と同様に、光チャンネルモニタ７５が光チャンネルモニタ７５の内部で各波長の波長モニタ値を補正してもよい。または、光チャンネルモニタ７５が、光チャンネルモニタ７５を構成する光学部品などの部品の角度や位置を制御したり、波長の選択を制御したりするパラメータを補正してもよい。このように光チャンネルモニタ７５が内部で補正を行うことによって、監視制御部７６は波長選択スイッチ７３に対して通常の制御を行うことができる。
【００５５】
光チャンネルモニタ７５が内部で補正を行った場合、光伝送システム７１は光チャンネルモニタ７５の内部で補正を行ったというログを残し、システムのオペレータに通知するようにしてもよい。そうすれば、システムのオペレータは、光チャンネルモニタ７５の内部で補正が行われたことを知ることができる。また、システムのオペレータは、光伝送システム７１の点検時に光チャンネルモニタ７５を検査したり補修する必要があることを認識することができる。
【００５６】
（実施例６）
実施例６は、光チャンネルモニタを備えた別の光伝送システムの例である。
【００５７】
図１８は、実施例６にかかる光伝送システムを示すブロック図である。図１８に示すように、実施例６の光伝送システム８１は、実施例５にかかる光伝送システムにおいて、波長選択スイッチ７３に入力する光信号の一部をカプラ８２で分岐させ、光チャンネルモニタ８３で波長選択スイッチ７３へ入力する光信号の各波長の変動を監視することによって、光チャンネルモニタ７５，８３の異常や故障を検出するものである。監視制御部７６は、波長選択スイッチ７３の前にある光チャンネルモニタ（（Ａ）とする）８３から出力された各波長の波長モニタ値と、波長選択スイッチ７３の後にある光チャンネルモニタ（（Ｂ）とする）７５から出力された各波長の波長モニタ値とを比較する。それによって、監視制御部７６は、光チャンネルモニタ７５，８３へ入力する光信号の波長がずれているのか、波長がずれた原因が光チャンネルモニタ７５，８３にあるのか、ということを切り分けることができる。
【００５８】
例えば、光チャンネルモニタ（Ａ）８３及び光チャンネルモニタ（Ｂ）７５において、チャンネルｎの波長モニタ値がλｎであり、チャンネルｍの波長モニタ値がλｍであれば、監視制御部７６は、両方の光チャンネルモニタ７５，８３がともに正常に動作していると判断することができる。光チャンネルモニタ（Ｂ）７５において、チャンネルｎの波長モニタ値がλｎ１であり、チャンネルｍの波長モニタ値がλｍ１であれば、監視制御部７６は、光チャンネルモニタ（Ｂ）７５に異常や故障があると判断することができる。光チャンネルモニタ（Ａ）８３において、チャンネルｎの波長モニタ値がλｎ２であり、チャンネルｍの波長モニタ値がλｍ２であれば、監視制御部７６は、光チャンネルモニタ（Ａ）８３に異常や故障があると判断することができる。
【００５９】
（実施例７）
実施例７は、光チャンネルモニタを備えた別の光伝送システムの例である。図１９は、実施例７にかかる光伝送システムを示すブロック図である。図１９に示すように、実施例７の光伝送システム９１は、前のノードＡにある光チャンネルモニタ（Ａ）８３から出力された各波長の波長モニタ値と、後のノードＢにある光チャンネルモニタ（Ｂ）７５から出力された各波長の波長モニタ値とを比較して、実施例６と同様に光チャンネルモニタ７５，８３の異常や故障を検出するものである。
【００６０】
ノードＡにおいて、光チャンネルモニタ（Ａ）８３は、波長選択スイッチ９２から出力され、カプラ８２で分岐された光信号の各波長の波長モニタ値を出力する。信号処理部９３は、各波長の波長モニタ値を含む監視制御信号（ＯＳＣ：Ｏｐｔｉｃａｌ  Ｓｕｐｅｒｖｉｓｏｒ  Ｃｈａｎｎｅｌ）を生成し、監視制御信号送信部（ＯＳＣ（Ｔｘ））９４から出力する。波長分割多重部９５は、カプラ８２を通過した光信号及び監視制御信号を多重して光伝送路７２へ出力する。
【００６１】
ノードＢにおいて、波長分割多重部９６は、光伝送路７２から入力する光信号を監視制御信号とデータ信号に分割する。信号処理部９８は、監視制御信号受信部（ＯＳＣ（Ｒｘ））９７で受信した監視制御信号から各波長の波長モニタ値と、さらに後のノードへ送信する監視制御信号とを抽出する。データ信号は波長選択スイッチ７３に入力する。光チャンネルモニタ（Ｂ）７５は、波長選択スイッチ７３から出力され、カプラ７４で分岐された光信号の各波長の波長モニタ値を信号処理部９８へ出力する。
【００６２】
信号処理部９８は、ノードＡから送られてきた各波長の波長モニタ値と、ノードＢの光チャンネルモニタ（Ｂ）７５から出力された各波長の波長モニタ値とを比較する。それによって、信号処理部９８は、実施例６と同様に、光チャンネルモニタ７５，８３へ入力する光信号の波長がずれているのか、波長がずれた原因が光チャンネルモニタ７５，８３にあるのか、ということを切り分けることができる。
【００６３】
また、信号処理部９８は、光チャンネルモニタ（Ｂ）７５から出力された各波長の波長モニタ値を含む監視制御信号を生成し、監視制御信号送信部９９から出力する。波長分割多重部１００は、カプラ７４を通過したデータ信号及び監視制御信号を多重して光伝送路１０１へ出力する。
【００６４】
（実施例８）
実施例８は、光チャンネルモニタを備えた別の光伝送システムの例である。図２０は、実施例８にかかる光伝送システムを示すブロック図である。図２０に示すように、実施例８の光伝送システム１１１は、実施例７にかかる光伝送システムおいて、ノードＡが光信号を送信する装置である例である。実施例８では、ノードＡにおいて、信号処理部９３は、各チャンネルの送信器１１２，１１３，１１４から波長情報を取得して各波長情報を含む監視制御信号を生成し、監視制御信号送信部９４から出力する。波長分割多重部９５は、各チャンネルの送信器１１２，１１３，１１４から出力され、合波器１１５で合波された光信号及び監視制御信号を多重して光伝送路７２へ出力する。ノードＢについては、実施例７と同様である。
【符号の説明】
【００６５】
１  光伝送装置
２  抽出部
３  検出部
４  記憶部
５  制御部
２４  監視制御／信号処理部
７１，８１，９１，１１１  光伝送システム
【図１】
0005617550.tif 000002
【図２】
0005617550.tif 000003
【図３】
0005617550.tif 000004
【図４】
0005617550.tif 000005
【図５】
0005617550.tif 000006
【図６】
0005617550.tif 000007
【図７】
0005617550.tif 000008
【図８】
0005617550.tif 000009
【図９】
0005617550.tif 000010
【図１０】
0005617550.tif 000011
【図１１】
0005617550.tif 000012
【図１２】
0005617550.tif 000013
【図１３】
0005617550.tif 000014
【図１４】
0005617550.tif 000015
【図１５】
0005617550.tif 000016
【図１６】
0005617550.tif 000017
【図１７】
0005617550.tif 000018
【図１８】
0005617550.tif 000019
【図１９】
0005617550.tif 000020
【図２０】
0005617550.tif 000021